(57)【要約】【課題】  簡易な構成かつ製造コストの低廉なマスクケースを得る。【解決手段】  対向する一対の長辺2と、この一対の長辺2から垂直方向に延びる対向する一対の短辺3とを備えた一枚のシート1から成り、上記長辺2の長さ方向中央部よりも上方及び下方を、それぞれ短辺3と平行且つ間隔を介して同一方向に折曲した一対の折曲部7,8,25を設けることにより、この折曲部7,8,25によって上記シート1を上部、中央部、下部に分割し、上記中央部をマスク載置部11とするとともに、上部及び下部をそれぞれ上部被覆片10及び下部被覆片12とし、上記マスク載置部11の表面にマスク15を載置可能とし、このマスク載置部11に載置したマスク15の上面に、上部被覆片10及び下部被覆片12を、上記折曲部7,8,25を介して重畳的に被覆可能とする。【選択図】図１
0003228448.tif 000002
【実用新案登録請求の範囲】
【請求項１】
対向する一対の長辺と、この一対の長辺から垂直方向に延びる対向する一対の短辺とを備えた一枚のシートから成り、上記長辺の長さ方向中央部よりも上方及び下方を、それぞれ短辺と平行且つ間隔を介して同一方向に折曲した一対の折曲部を設けることにより、この折曲部によって上記シートを上部、中央部、下部に分割し、上記中央部をマスク載置部とするとともに、上部及び下部をそれぞれ上部被覆片及び下部被覆片とし、上記マスク載置部の表面にマスクを載置可能とし、このマスク載置部に載置したマスクの上面に、上部被覆片及び下部被覆片を、上記折曲部を介して重畳的に被覆可能としたことを特徴とするマスクケース。
【請求項２】
シートは、紙製であることを特徴とする請求項１のマスクケース。
【請求項３】
シートの一面又は両面には、抗菌インキをコーティングしたことを特徴とする請求項１、または２のマスクケース。
【考案の詳細な説明】
【技術分野】
【０００１】
本考案は、使用中のマスクを一時的に取り外した際に、当該マスクを収納して周囲環境の衛生面及び衛生的外観を保つためのマスクケースに関するものである。
【背景技術】
【０００２】
花粉症、風邪、インフルエンザの予防のために、マスクを装着することが一般的となっている。特に最近では、新型コロナウイルスの流行に伴い、ウイルスの拡散防止、及び感染予防の観点から、外出時には必ずマスクを着用する人が増えている。そこで、このようなマスクを衛生的に収容することを目的として、特許文献１の如きマスクケースが公知となっている。
【０００３】
【特許文献１】実用新案登録第3222103号公報
【考案の開示】
【考案が解決しようとする課題】
【０００４】
しかしながら、上記の如きマスクケースは、素材の異なる複数枚のシートから成るものであって、製造が煩雑となるとともに材料費が高価となる。そのため、飲食店等で顧客にサービスとして配布しようとする場合などには、顧客人数分のシートを配布しなければならないことから全体的にコストが高くつくものとなる。
【０００５】
そこで、本考案は上述の如き課題を解決しようとするものであって、簡易な構成かつ製造コストの低廉なマスクケースを得ようとするものである。
【課題を解決するための手段】
【０００６】
本考案は上述の如き課題を解決するため、対向する一対の長辺と、この一対の長辺から垂直方向に延びる対向する一対の短辺とを備えた一枚のシートから成り、上記長辺の長さ方向中央部よりも上方及び下方を、それぞれ短辺と平行且つ間隔を介して同一方向に折曲した一対の折曲部を設けることにより、この折曲部によって上記シートを上部、中央部、下部に分割し、上記中央部をマスク載置部とするとともに、上部及び下部をそれぞれ上部被覆片及び下部被覆片とし、上記マスク載置部の表面にマスクを載置可能とし、このマスク載置部に載置したマスクの上面に、上部被覆片及び下部被覆片を、上記折曲部を介して重畳的に被覆可能としたものである。
【０００７】
また、シートは、紙製であってもよい。このように紙製のシートを用いることにより、シートの表面や裏面に容易に印刷を施すことが可能となるため、店舗の広告やイラストなど、安価且つ自由に表示することが可能となる。また、使用後は燃えるごみとして処分することができるため、自然環境に配慮した製品とすることができる。
【０００８】
また、シートの一面又は両面には、抗菌インキをコーティングしたものであってもよい。このように抗菌インキをコーティングすることにより、マスク載置部を衛生的に保つことが可能となり、マスクを清潔に保管することができる。
【考案の効果】
【０００９】
本考案は上述の如き1枚のシートから成るものであるから、製造が容易であるとともに、製造コストを安くすることができる。そのため、マスクを外して飲食する必要がある飲食店などで、無料のサービスとして顧客に配布した場合でも全体的にコストを低く抑えることができる。また、このケースを使用することにより、マスクがテーブルに直に接触することを避けることができるため、マスクに付着した細菌やウイルスがテーブルなどに付着することを防ぐことが可能となり、インフルエンザや新型コロナウイルスなどの感染予防に効果的である。
【実施例１】
【００１０】
以下、本考案の実施例1を図１〜４に於いて説明する。まず(１)はシートであって、対向する一対の長辺(2)と、この長辺(2)から垂直方向に延びるとともに対向する一対の短辺(3)とを備えた一枚の紙で形成されている。このように紙製のシート(1)を用いることにより、シート(1)の表面(16)や裏面(21)に容易に印刷を施すことが可能となるため、店舗の広告やイラストなど、安価且つ自由に表示することが可能となる。また、使用後は燃えるごみとして処分することができるため、自然環境に配慮した製品とすることができる。
【００１１】
また、このシート(1)の長辺(2)と短辺(3)の長さはＡ４用紙のサイズと同じである。そしてこのシート(1)の両面には抗菌インキがコーティングされている。このように抗菌インキをコーティングすることにより、マスク載置部(11)を衛生的に保つことが可能となり、マスク(15)を清潔に保管することができる。
【００１２】
そして図2に示す如く、このシート(1)の一方短辺(4)には、この一方短辺(4)から一対の長辺(2)に向けて傾斜した切り欠き部(5)をそれぞれ形成するとともに、この一対の切り欠き部(5)に挟まれた部分を挿入片(6)している。
【００１３】
また図２、３に示す如く、このシート(1)の長さ方向中央部よりも上方位置、及び下方位置に、それぞれ短辺(3)と平行にシート(1)を同一方向に折曲した折曲部(25)を一対設けている。そして切り欠き部(5)形成側の折曲部(25)を第一折曲部(7)、他方を第二折曲部(8)としている。この第一折曲部(7)及び第二折曲部(8)により、シート(1)が当該一対の折曲部(25)を介して上部、中央部、下部に分割されるものとなる。そして、当該上部を上部被覆片(10)、中央部をマスク載置部(11)、及び下部を下部被覆片(12)としている。
【００１４】
また、上記マスク載置部(11)は、図１に示す如く、マスク(15)の耳掛け部(13)及びマスク本体(14)の全体を載置可能とした大きさに形成している。そのため、マスク本体(14)をマスク載置部(11)上に載置することができる。尚、このようにマスク載置部(11)上にマスク本体(14)を載置した際には、このマスク本体(14)の両端に接続された耳掛け部(13)をマスク本体(14)の上に折り畳んで配置することにより、マスク(15)全体をマスクケース(20)に収納することができる。
【００１５】
また図２に示す如く、このマスク載置部(11)の表面(16)には、「マスクの外側をこちら側へ」という文言を印刷することにより、マスク(15)の口に接触する接触面(17)とは反対側の非接触面が、このマスク載置部(11)の表面(16)側に接触するように配置するよう促している。このように上記文言を示しておくことにより、使用者がマスク(15)の接触面(17)と非接触面とを認識した状態で当該マスク(15)を清潔に取り扱うことができるものとなる。尚、図３に示すマスクケース(20)の裏面(21)側には、使用する店舗の広告や情報、又はイラストなどを自由に印刷することができる。
【００１６】
また図2に示す如く、下部被覆片(12)には、第二折曲部(8)に平行な方向に直線状の切込み部(22)を形成している。そして上記の如く、マスク載置部(11)上にマスク本体(14)を載置した状態で、まず第二折曲部(8)を折曲して下部被覆片(12)をマスク本体(14)上に被覆するとともに、上記第一折曲部(7)を折曲して上部被覆片(10)を上記下部被覆片(12)の上方に重畳的に被覆配置する。
【００１７】
そして、上部被覆片(10)の挿入片(6)を下部被覆片(12)の切込み部(22)から内方に挿入配置することにより、図４に示す如くマスク(15)が本実施例のマスクケース(20)に収納配置された状態となる。
【００１８】
上記の如く、本実施例のマスクケース(20)にマスク(15)を収納することにより、マスク(15)を取り外した際に、取り外したマスク(15)をテーブルに直に載置することがないため、当該マスク(15)の接触により、このマスク(15)に付着した細菌やウイルスがテーブルなどに付着することを防ぐことが可能となる。よって、インフルエンザや新型コロナウイルスなどの感染予防に効果的である。またテーブル上に使用したマスク(15)をそのまま載置した状態では、衛生的外観に問題が生じるが、当該マスク(15)をマスクケース(20)に収納することにより、マスク(15)の清潔的な使用を外観からもアピールすることができる。
【００１９】
また上記の如く、一枚の略A４サイズの紙のシート(1)を折曲し、切込みを入れることにより容易に形成することができるため、マスク(15)を外して飲食する必要がある飲食店などで、無料のサービスとして顧客に大量に配布する場合でも、製造コストを低く抑えることができるため経済的である。
【実施例２】
【００２０】
以下、本考案の実施例２を図５〜８に於いて説明する。まず(31)はシートであって、対向する一対の長辺(32)と、この長辺(32)から垂直方向に延びるとともに対向する一対の短辺(33)とを備えた一枚の紙で形成されている。このように紙製のシート(31)を用いることにより、シート(31)の表面(46)や裏面(51)に容易に印刷を施すことが可能となるため、店舗の広告やイラストなど、安価且つ自由に表示することが可能となる。また、使用後は燃えるごみとして処分することができるため、自然環境に配慮した製品とすることができる。
【００２１】
また、このシート(31)の長辺(32)と短辺(33)の長さはＡ４用紙のサイズと同じである。そしてこのシート(31)の両面には抗菌インキがコーティングされている。このように抗菌インキをコーティングすることにより、マスク載置部(41)を衛生的に保つことが可能となり、マスク(45)を清潔に保管することができる。
【００２２】
また図５、６に示す如く、このシート(31)の長さ方向中央部よりも上方位置、及び下方位置に、それぞれ短辺(33)と平行にシート(31)を同一方向に折曲した折曲部(55)を間隔を介して一対設け、この折曲部(55)の一方を第一折曲部(37)、他方を第二折曲部(38)としている。この第一折曲部(37)及び第二折曲部(38)により、シート(31)が当該一対の折曲部(55)を介して上部、中央部、下部に分割されるものとなる。そして、当該上部を上部被覆片(40)、中央部をマスク載置部(41)、及び下部を下部被覆片(42)としている。
【００２３】
また、上記マスク載置部(41)は、図７に示す如く、マスク(45)の耳掛け部(43)を除くマスク本体(44)の全体を載置可能とした大きさに形成している。そのため、マスク本体(44)をマスク載置部(41)上に載置することができる。尚、このようにマスク載置部(41)上にマスク本体(44)を載置した際には、このマスク本体(44)の両端に接続された耳掛け部(43)がマスク載置部(41)から外方に突出した状態で配置されるものとなる。尚、本実施例ではこのように、耳掛け部(43)がマスク載置部(41)から外方に突出した状態で配置しているが、実施例1と同様に、当該耳掛け部(43)をマスク載置部(41)の上に折り畳んだ状態で配置することも可能である。
【００２４】
また図５に示す如く、このマスク載置部(41)の表面(46)には、「マスクの外側をこちら側へ」という文言を印刷することにより、マスク(45)の口に接触する側の接触面(47)とは反対側の非接触面が、このマスク載置部(41)の表面(46)側に接触するように配置するよう促している。このように上記文言を示しておくことにより、使用者がマスク(45)の接触面(47)と非接触面とを認識した状態で当該マスク(45)を清潔に取り扱うことができるものとなる。尚、図６に示すマスクケース(50)の裏面(51)側には、使用する店舗の広告や情報、又はイラストなどを自由に印刷することができる。
【００２５】
また図5に示す如く、下部被覆片(42)には、両端(53)を第二折曲部(38)側とするとともに湾曲部(54)側が短辺(33)側に膨出した弧状の切込み部(52)を形成している。そして上記の如く、マスク載置部(41)上にマスク本体(44)を載置した状態で、まず第二折曲部(38)を折曲して下部被覆片(42)をマスク本体(44)上に被覆するとともに、上記第一折曲部(37)を折曲して上部被覆片(40)を上記下部被覆片(42)の上方に重畳的に被覆配置する。
【００２６】
そして図８に示す如く、上部被覆片(40)の短辺(33)側を下部被覆片(42)の切込み部(52)内に挿入配置することにより、マスク本体(44)が本実施例のマスクケース(50)に収納配置された状態となる。
【００２７】
上記の如く、本実施例のマスクケース(50)にマスク(45)を収納することにより、マスク(45)を取り外した際に、取り外したマスク(45)をテーブルに直に載置することがないため、当該マスク(45)の接触により、このマスク(45)に付着した細菌やウイルスがテーブルなどに付着することを防ぐことが可能となる。よって、インフルエンザや新型コロナウイルスなどの感染予防に効果的である。またテーブル上に使用したマスク(45)をそのまま載置した状態では、衛生的外観に問題が生じるが、当該マスク(45)をマスクケース(50)に収納することにより、マスク(45)の清潔的な使用を外観からもアピールすることができる。
【００２８】
また上記の如く、一枚の略A４サイズの紙のシート(31)を折曲し、切込みを入れることにより容易  に形成することができるため、マスク(45)を外して飲食する必要がある飲食店などで、無料のサー  ビスとして顧客に大量に配布する場合でも、製造コストを低く抑えることができるため経済的であ  る。
【図面の簡単な説明】
【００２９】
【図１】実施例１においてマスク本体を載置した状態を示す概念図。
【図２】実施例１のマスク載置部側を示す平面図。
【図３】実施例１のマスク載置部とは反対側を示す平面図。
【図４】実施例１においてマスク収納時を示す平面図。
【図５】実施例２のマスク載置部側を示す平面図。
【図６】実施例２のマスク載置部とは反対側を示す平面図。
【図７】実施例２においてマスク本体を載置した状態を示す概念図。
【図８】実施例２においてマスク収納時を示す平面図。
【符号の説明】
【００３０】
１,31  シート
2,32  長辺
3,33  短辺
7,37  第一折曲部
8,38  第二折曲部
10,40  上部被覆片
11,41  マスク載置部
12,42  下部被覆片
13,43  耳掛け部
14,44  マスク本体
20,50  マスクケース
25,55  折曲部
【図１】
0003228448.tif 000003
【図２】
0003228448.tif 000004
【図３】
0003228448.tif 000005
【図４】
0003228448.tif 000006
【図５】
0003228448.tif 000007
【図６】
0003228448.tif 000008
【図７】
0003228448.tif 000009
【図８】
0003228448.tif 000010